(57)【要約】      （修正有）【課題】光源投射により、荘厳かつ厳粛で鄭重な雰囲気を醸し出し、後日のメンテナンスや管理もしやすく、取外しや取り付けも容易な納骨壇システムを提供。【解決手段】納骨壇システム１は、納骨壇システムの支え構造Ａ１複数の表示装置３および複数の筺体４を備える。前記表示装置３は、前記納骨壇システム１の支え構造Ａ１の一側の端面に設置される。前記筺体４は、前記納骨壇システムの支え構造Ａ１の内部空間に設置される。前記表示装置３及パネル部分の回路板上に複数のＬＥＤおよび透明体を設置し、光源投射方式によって、仏像やその他のいかなる宗教的意義を有する図柄や文字を浮き彫りのような形式で表示する。さらに、表示装置３により、夜空に星が瞬くような視覚効果も演出することができる。そして、納骨箱構造とパネル部分を蝶番方式で連結することで、後日のメンテナンスの際、パネル部分の取外しや取り付けが容易に行える。【選択図】図１
2011115576.tif 000002
【特許請求の範囲】
【請求項１】
納骨壇システムの支え構造および複数の筺体を備える納骨壇システムであって、
前記筺体は、前記納骨壇システムの支え構造の内部空間に設置されて、納骨箱構造およびパネル部分を備え、このうち、前記パネル部分は、前記納骨箱構造の外側辺縁に設置されて、
前記納骨箱構造は、骨壷を納める内部空間を有し、
前記パネル部分は、正面パネル、光源を放出する電子装置、透明体および外枠を備えて、前記正面パネルの外側には凹状スロットが設置されて、前記電子装置および前記透明体は、いずれも前記正面パネルの前記凹状スロット内に設置され、前記外枠は、前記正面パネルの外側に蓋をするように設置されることを特徴とする納骨壇システム。
【請求項２】
前記電子装置は、特に回路板を指し、
前記回路板には複数の  ＬＥＤが設置されて、
前記回路板は、前記正面パネルの前記凹状スロット内縁を囲むように密着する形式で前記凹状スロットの内側に装着されて、前記透明体は前記凹状スロットの内部に設置されて、このうち、前記回路板は、同時に、前記透明体の周辺を取り囲むため、前記回路板の前記ＬＥＤは、前記透明体周辺から前記透明体の内部に光線を投射することを特徴とする請求項１に記載の納骨壇システム。
【請求項３】
前記納骨箱構造の外側端面には、内部接点スイッチ  および複数の  ＬＥＤ接点スイッチが設置され、前記パネル部分の前記正面パネル内側端面には、複数の導電装置が設置されて、
前記内部接点スイッチは前記納骨箱構造内部の光源に、前記ＬＥＤ接点スイッチは前記納骨箱構造内部の電源に、そして、前記導電装置は前記パネル部分の前記回路板の前記ＬＥＤに、それぞれ電気的に接続されて、前記パネル部分が前記納骨箱構造に閉じられて、閉じた状態になると、前記パネル部分の前記正面パネル内側端面の前記導電装置が前記納骨箱構造外側端面の前記ＬＥＤ接点スイッチに対応して接触することで接合して供電回路を形成し、前記回路板の前記ＬＥＤを発光させることで、光線を前記パネル部分の前記透明体の内部に投射し、逆に、前記パネル部分が前記納骨箱構造の外側辺縁から開かれて、開いた状態になると、前記納骨箱構造外側端面の前記内部接点スイッチが起動して供電回路を形成し、前記納骨箱構造内部に設置された光源を発光させることで、光線を前記納骨箱構造の前記内部空間に投射することを特徴とする請求項２に記載の納骨壇システム。
【請求項４】
前記納骨壇システムは、さらに、複数の表示装置を備えて、前記表示装置は、前記納骨壇システムの支え構造一側の端面に設置されることを特徴とする請求項３に記載の納骨壇システム。
【請求項５】
前記表示装置は、箱部分、鏡、  透明板、茶色ガラス、黒色ガラス、複数の光ファイバー、  光源を備えて、このうち、箱部分は内部空間を有し、鏡は前記箱部分内の最底層に設置され、透明板は前記箱部分内の前記鏡上方に設置されて、前記鏡と一定の間隔を保ち、茶色ガラスは前記箱部分内の前記透明板上方に設置されて、さらに前記透明板と一定の間隔を保ち、前記茶色ガラスの表面はミラーペーパーに覆われており、黒色ガラスは前記箱部分内の前記茶色ガラス上方に設置され、前記茶色ガラスと一定の間隔を保ち、複数の光ファイバーは下から上に向かって前記鏡を貫通し、前記光ファイバーの先端部は前記透明板の下面に接続して設置され、少なくとも１つの光源は前記箱部分内の前記鏡下方に設置されて、前記光源が投射する光線は前記光ファイバーを介して前記透明板に伝導され、前記茶色ガラスと前記黒色ガラスを介して夜空の星の光点のような視覚効果を演出することを特徴とする請求項４に記載の納骨壇システム。
【請求項６】
前記表示装置の前記箱部分両端には、それぞれ対称の２つの斜面が設置され、前記箱部分内側壁には、複数の仕切りパーツが設置されることで、前記鏡、前記透明板、前記茶色ガラスおよび前記黒色ガラスが相互に一定の間隔を保ち、前記黒色ガラスの上表面にはさらに、強化ガラスが設置されることを特徴とする請求項５に記載の納骨壇システム。
【請求項７】
前記納骨箱構造の内側辺縁には、少なくとも１つの扉板が設置されて、前記扉板によって前記納骨箱構造の前記内部空間を形成して、外部と区別されることを特徴とする請求項６に記載の納骨壇システム。
【請求項８】
前記筺体は、さらに、ビスを備え、前記納骨箱構造の外側辺縁の上下両端にはさらに、それぞれヒンジが設置され、前記パネル部分の前記正面パネル内側の端縁には、さらに、接続軸が設置されて、このうち、前記接続軸の先端には凹状ホールが設置され、前記接続軸の底部には短軸が突出し、
前記正面パネルの前記接続軸底部の前記短軸は、前記納骨箱構造外側の辺縁下端の前記ヒンジに挿入され、前記ビスは、前記納骨箱構造外側の辺縁上端の前記納ヒンジを貫通して、前記正面パネルの前記接続軸先端の前記凹状ホールに挿入されることで、前記パネル部分が前記納骨箱構造の外側の辺縁に密着して設置されて、前記パネル部分が前記納骨箱構造の一側を覆う扉となることを特徴とする請求項７に記載の納骨壇システム。
【請求項９】
前記納骨壇システムの支え構造は、少なくとも１つの位置固定管、複数の支柱、少なくとも１つの固定管および複数の支え管を備えて、前記支柱の一端は前記位置固定管底部に設置され、前記固定管の一側は前記支柱の他端に設置され、このうち、前記支え管は、それぞれ横向きに前記支柱に設置されることを特徴とする請求項８に記載の納骨壇システム。
【請求項１０】
前記納骨壇システムの支え構造は、さらに、複数の  位置固定パーツを備え、前記位置固定パーツは、いずれもねじ部分を有し、前記位置固定管底部は、複数の穴が設置され、前記穴の外側には、固定パーツが設置され、前記支柱の最上部端面には穴が設置され、前記穴の外側には固定パーツが設置されて、
前記支柱は、前記位置固定パーツによって、前記位置固定管底部に連結、設置され、このうち、前記位置固定パーツ一端のねじ部分は、前記位置固定管底部の前記穴を貫通して、前記位置固定管の前記固定パーツにねじ形式で設置されることを特徴とする請求項９に記載の納骨壇システム。
【請求項１１】
前記納骨壇システムの支え構造は、さらに、複数の固定部分を備え、
前記支柱の一側には、さらに複数の欠け口を有し、前記支え管は前記支柱の同様の高さの位置の前記欠け口に横向きに設置され、前記固定部分は前記支柱の前記欠け口内に設置された前記支え管の外側に蓋をするように対応して設置され、
前記固定管の一側にはさらに、複数の欠け口を有し、前記支柱の他端は、それぞれ前記固定管側辺の前記欠け口にしっかりと抵触して固定されることを特徴とする請求項１０に記載の納骨壇システム。
【請求項１２】
前記納骨壇システムの支え構造は、さらに、複数の固定片を備え、前記固定片は、それぞれ前記位置固定管および前記支柱最上部の周辺、前記支柱の他端側辺と地面の両側および前記固定管側辺と地面の両側に接続されて固定されることを特徴とする請求項１１に記載の納骨壇システム。
【請求項１３】
前記固定部分の端面には、さらに、位置固定バーを有することを特徴とする請求項１２に記載の納骨壇システム。
【請求項１４】
前記納骨壇システムは、さらに、複数の固定パーツを備え、前記表示装置は、それぞれ前記納骨壇システムの支え構造の前記固定部分の前記位置固定バーの間に装着されて、さらに、前記表示装置の前記箱部分一端の前記斜面は、他の前記表示装置の前記箱部分一端の前記斜面に抵触し、前記固定パーツは、それぞれ前記位置固定バーの先端にねじ形式で固定されると同時に、前記表示装置の端面を押さえて固定することで、  前記表示装置を前記納骨壇システムの支え構造にしっかりと設置することを特徴とする請求項１３に記載の納骨壇システム。
【請求項１５】
前記透明体の内側には、さらに、浮き彫りの塑像が設置され、
前記固定パーツは、特に頭部がねじ部分を有するものを指し、前記回路板は、特にフレキシブル回路板を指し、前記透明体は、特にガラス工芸品、水晶、一般ガラス、アクリルまたは樹脂を指し、前記位置固定管、前記固定管および前記支え管は、特に方形パイプまたはＣ型パイプまたはＨ型パイプまたは円形パイプを指し、前記支柱は、特にＨ型支柱または方形支柱またはＣ型支柱または円形支柱を指し、前記固定部分は、特に十字型固定部分またはＴ型固定部分を指し、前記固定片は、特にＬ型固定片を指し、前記固定パーツは特にナットを指すことを特徴とする請求項１４に記載の納骨壇システム。
【発明の詳細な説明】
【技術分野】
【０００１】
本発明は、納骨棚装置に関し、特に、光源投射機能を提供し、容易に着脱可能な組立式の納骨壇システムに関する。
【背景技術】
【０００２】
現在、台湾の人口構成は高齢化が進み、老年人口が多くなっている。したがって、死亡者数も今後ますます増加することになる。統計によると、現在、年間死亡者数は約１６万人で、今後２０年間ますます増えると予想され、最高時には３０万人に達すると言われている。土地面積の小さい都市部においては、従来の土葬による埋葬形式は不適切である上、環境保護の立場からも、政府は火葬を勧め、現在では火葬を受け入れる人が増えている。また、法の規定によると、公共の墓地は７年経つと、次に使用権を譲る方式が採られている。このため、各地で民間の納骨堂が次々と建設されている。火葬は土葬に比べて、管理上便利であり、今後この傾向が進むのは必至である。火葬のほうが環境保護の立場からも衛生的であり、土葬の際の繁雑な手続きを必要とせず、禁忌や風水を気にすることなく行なえるという利点がある。さらに、土葬の場合、墓の土壌状態を度々見回る必要があり、必要に応じて修復も行なわなければならない。したがって、台湾でも、火葬の観念が取り入れられるようになり、今では受け入れる人がますます多くなって納骨堂にお骨を納めるようになっている。現在よく見られる納骨堂は、その内部に壁を形成するように設置され、骨壷を納めるための複数の空間を有し、その空間には一個の進出口が設けられて、その進出口には扉が設置されている。さらに、その扉の表面には一般的に仏教に関わる図柄や文字が記されている。
【発明の概要】
【発明が解決しようとする課題】
【０００３】
しかしながら、従来の納骨堂は、荘重な雰囲気を有するものの、長年にわたり、何ら変化が見られない。したがって、本発明は、光源投射により、荘厳かつ厳粛で鄭重な雰囲気を醸し出し、後日のメンテナンスや管理もしやすく、取外しや取り付けも容易な納骨壇システムを提供することを課題とする。
【課題を解決するための手段】
【０００４】
上記課題を解決するために、本発明は、光源投射により、荘厳かつ厳粛で鄭重な雰囲気を醸し出し、後日のメンテナンスや管理もしやすく、取外しや取り付けも容易な納骨壇システムを提供することを目的とする。
【０００５】
上記目的を達成するために、本発明の納骨壇システムは、表示装置およびパネル部分の回路板上に複数の  ＬＥＤおよび透明体を設置し、さらに、光源投射方式によって、仏像やその他のいかなる宗教的意義を有する図柄や文字を浮き彫りのような形式で表示して、前記透明体上に荘厳かつ厳粛で鄭重な視覚効果を演出する。さらに、表示装置により、夜空に星が瞬くようなバーチャル視覚効果も演出することができる。そして、ビスと接続軸の構造により、納骨箱構造とパネル部分を蝶番方式で連結することで、後日のメンテナンスの際、パネル部分の取外しや取り付けが容易に行える。
【０００６】
本発明の納骨壇システムは、納骨壇システムの支え構造および複数の筺体を備える。前記筺体は、前記納骨壇システムの支え構造の内部空間に設置される。前記筺体は、納骨箱構造およびパネル部分を備える。このうち、前記パネル部分は、前記納骨箱構造の外側の辺縁に設置される。前記納骨箱構造は、骨壷を収納する内部空間を有する。前記パネル部分は、  正面パネル、光源を放出する電子装置、透明体および外枠を備え、前記正面パネルの外側には凹状スロットを有する。前記電子装置および前記透明体は、いずれも前記正面パネルの前記凹状スロットの内側に設置される。前記外枠は、前記正面パネルの外側に蓋をするように設置される。
【発明の効果】
【０００７】
本発明の納骨壇システムは、表示装置およびパネル部分の回路板上に複数の  ＬＥＤおよび透明体を設置し、さらに、光源投射方式によって、仏像やその他のいかなる宗教的意義を有する図柄や文字を浮き彫りのような形式で表示して、前記透明体上に荘厳かつ厳粛で鄭重な視覚効果を演出する。さらに、表示装置により、夜空に星が瞬くようなバーチャル視覚効果も演出することができる。そして、ビスと接続軸の構造により、納骨箱構造とパネル部分を蝶番方式で連結することで、後日のメンテナンスの際、パネル部分の取外しや取り付けが容易に行える。
【図面の簡単な説明】
【０００８】
【図１】本発明の立体図である。
【図２】本発明における部分構造の立体図（一）である。
【図３】本発明における部分構造のパーツ分解図（一）である。
【図４】本発明における筺体の立体図である。
【図５】本発明における筺体のパーツ分解図である。
【図６】本発明における筺体の納骨箱構造の立体図である。
【図７】本発明における筺体のパネル部分の立体図である。
【図８】本発明における筺体のパネル部分のパーツ分解図である。
【図９】本発明における筺体のパネル部分の断面図である。
【図１０】本発明における部分的構造の組合図（一）である。
【図１１】本発明における部分構造の立体図（二）である。
【図１２】本発明における部分構造のパーツ分解図（二）である。
【図１３】本発明の表示装置の立体図である。
【図１４】本発明における表示装置のパーツ分解図である。
【図１５】本発明における表示装置の使用状態を示した図である。
【図１６】本発明における表示装置の使用状態を示した正面図である。
【図１７】本発明における部分構造の組合図（二）である。
【図１８】本発明における納骨壇システムの支え構造の立体図である。
【図１９】本発明における納骨壇システムの支え構造の部分的構造組合図（一）である。
【図２０】本発明における納骨壇システムの支え構造の部分的構造組合図（二）である。
【図２１】本発明における納骨壇システムの支え構造の部分的構造組合図（三）である。
【図２２】本発明における納骨壇システムの支え構造の位置固定パーツの使用状態を示した図である。
【図２３】本発明における納骨壇システムの支え構造の位置固定管の立体図である。
【図２４】本発明における納骨壇システムの支え構造の位置固定管のパーツ分解図である。
【図２５】本発明における納骨壇システムの支え構造の支柱の立体図である。
【図２６】本発明における納骨壇システムの支え構造の支柱のパーツ分解図である。
【図２７】本発明における納骨壇システムの支え構造の位置固定パーツの立体図である。
【図２８】本発明における納骨壇システムの支え構造の固定管の立体図である。
【図２９】本発明における納骨壇システムの支え構造の固定部分の立体図（一）である。
【図３０】本発明における納骨壇システムの支え構造の固定部分の使用状態を示した図（一）である。
【図３１】本発明における納骨壇システムの支え構造の固定部分の立体図（二）である。
【図３２】本発明における納骨壇システムの支え構造の固定部分の使用状態を示した図（二）である。
【図３３】本発明の実施例図（一）である。
【図３４】本発明の実施例図（二）である。
【発明を実施するための形態】
【実施例】
【０００９】
以下に、図を参照しながら、本発明の納骨壇システムについて説明する。
図１から図３４を参照しながら、本発明の実施例一について説明する。本発明の納骨壇システム（１）は、納骨壇システムの支え構造（Ａ１）、複数の表示装置（３）、複数の筺体（４）および複数の固定パーツ（５２）を備える。このうち、前記納骨壇システムは、マトリクス形態に配列されており、その配列の幅と高さは、納骨堂の建築物の実際の大きさに応じて決める。  
【００１０】
前記表示装置（３）は、箱部分（３１）、鏡（３２）、  透明板（３３）  、茶色ガラス（３４）、黒色ガラス（３５）、複数の光ファイバー（３６）、光源（３７）を備える。このうち、箱部分（３１）は、内部空間を有する。鏡（３２）は、前記箱部分（３１）内の最底層に設置される。透明板（３３）は、前記箱部分（３１）内の前記鏡（３２）上方に設置されて、前記鏡（３２）と一定の間隔を保つ。茶色ガラス（３４）は、前記箱部分（３１）内の前記透明板（３３）上方に設置されて、さらに、前記透明板（３３）と一定の間隔を保つ。前記茶色ガラス（３４）の表面がミラーペーパーに覆われていることで、外界からの光線が前記黒色ガラスから茶色ガラスに照射された時、前記ミラーペーパーによって反射されて、前記光ファイバーの伝導作用により発生した光点に対して干渉するのを回避する。黒色ガラス（３５）は、前記箱部分（３１）内の前記茶色ガラス（３４）上方に設置され、前記茶色ガラス（３４）と一定の間隔を保つ。そして、前記黒色ガラスは、光が点されない時にはほとんど見通せない。複数の光ファイバー（３６）は、下から上に向かって、前記鏡（３２）を貫通し、前記光ファイバー  （３６）の先端部は前記透明板（３３）の下面に接続して設置される。光源（３７）は、前記箱部分（３１）内の前記鏡（３２）下方に設置される。前記光源（３７）が投射する光線は、前記光ファイバー（３６）を介して、前記透明板（３３）に伝導され、前記透明板上に光点を形成する。そして、前記茶色ガラス（３４）と前記黒色ガラス（３５）の遮蔽作用により、眩しさが緩和される。同時に、光点周辺に暗い部分が形成されることで、夜空の星が瞬いているようなバーチャル視覚効果を有して、暗い夜の世界に多くの星が瞬いているかのような極楽世界のイメージを演出する。このうち、前記表示装置（３）の前記箱部分（３１）両端には、それぞれ対称の２つの斜面（３１１）を有する。前記箱部分（３１）の内側壁には、複数の仕切りパーツ（３１２）が設置されることで、前記鏡（３２）、前記透明板（３３）、前記茶色ガラス（３４）および前記黒色ガラス（３５）が互いに一定の間隔をおいて設置される。さらに、前記黒色ガラス（３５）の上部表面にはさらに、強化ガラス（３５１）が設置されて、前記黒色ガラスを損傷から保護すると同時に、光線を通過しやすくする。  
【００１１】
前記筺体（４）は、納骨箱構造（４１）、パネル部分（４２）およびビス（４３）を備える。前記納骨箱構造（４１）は、骨壷（６）を収納する内部空間を有する。前記納骨箱構造（４１）の内側の辺縁には、２つの観音開きの扉板（４１１）が設置される。前記扉板（４１１）の設置によって、前記納骨箱構造（４１）の内部空間が外部と区別される。  
【００１２】
前記パネル部分（４２）は、正面パネル（４２１）、回路板（４２２）、透明体（４２３）および外枠（４２４）を備える。このうち、前記透明体（４２３）の内側には、一体成型または二次加工による浮き彫りの塑像が設置される。前記透明体（４２３）の材質はガラス工芸品を使用するが、水晶、一般ガラス、アクリルまたは樹脂等の透光性を有する材料によって製造することも可能である。その造形は、浮き彫り形式の仏像またはいかなる宗教的意味を有する図案も可能である。前記回路板（４２２）は、変形可能なフレキシブル回路板を使用する。前記正面パネル（４２１）の外側には凹状スロットが設置される。前記回路板（４２２）には複数のＬＥＤ（４２２１）が設置される。前記回路板（４２２）は、矩形状に湾曲して、前記正面パネル（４２１）の前記凹状スロット内縁を囲むように密着する形式で、前記凹状スロットの内側に装着される。前記透明体（４２３）は前記凹状スロットの内部に設置される。前記外枠（４２４）は、前記正面パネル（４２１）の外側に蓋をするように設置される。このうち、前記回路板（４２２）は同時に、前記透明体（４２３）の周辺を取り囲む。したがって、前記回路板（４２２）の前記ＬＥＤ（４２２１）は、前記透明体（４２３）周辺から前記透明体（４２３）の内部に光線を投射することで、荘厳かつ厳粛な視覚効果を演出する。さらに、前記パネル部分は、前記納骨箱構造に連結することで、前記納骨箱構造を遮蔽すると同時に、装飾の目的も果たす。  
【００１３】
前記納骨箱構造（４１）の外側辺縁の上下両端にはさらに、それぞれヒンジ（４１４）が設置される。前記パネル部分（４２）の前記正面パネル（４２１）内側の端縁には、さらに、接続軸（４２１２）が設置される。このうち、前記接続軸（４２１２）の先端には凹状ホールが設置され、前記接続軸（４２１２）の底部には短軸が突出する。前記正面パネル（４２１）の前記接続軸（４２１２）底部の前記短軸は、前記納骨箱構造（４１）外側の辺縁下端の前記ヒンジ（４１４）に挿入される。前記ビス（４３）は、前記納骨箱構造（４１）外側の辺縁上端の前記納ヒンジ（４１４）を貫通して、前記正面パネル（４２１）の前記接続軸（４２１２）先端の前記凹状ホールに挿入される。したがって、前記パネル部分（４２）が前記納骨箱構造（４１）の外側の辺縁に密着して設置されて、前記パネル部分（４２）が前記納骨箱構造（４１）の一側を覆う扉となる。そして、前記納骨箱構造および前記パネル部分は、前記ビスおよび前記接続軸によって、前記ヒンジに設置されて、相互に蝶番形式の連結が完了する。このような連結方式により、後日のメンテナンス時における前記パネル部分の着脱が容易に行なえる。  
【００１４】
さらに、前記納骨箱構造（４１）の外側端面には、内部接点スイッチ（４１２）および複数の  ＬＥＤ接点スイッチ（４１３）が設置される。前記パネル部分（４２）の前記正面パネル（４２１）内側端面には、複数の導電装置（４２１１）が設置される。前記内部接点スイッチ（４１２）は前記納骨箱構造（４１）内部の光源（３７）に、前記ＬＥＤ接点スイッチ（４１３）は前記納骨箱構造（４１）内部の電源に、そして、前記導電装置（４２１１）は前記パネル部分（４２）の前記回路板（４２２）の前記ＬＥＤ（４２２１）に、それぞれ電気的に接続される。前記パネル部分（４２）が前記納骨箱構造（４１）に閉じられて、閉じた状態になると、前記パネル部分（４２）の前記正面パネル（４２１）内側端面の前記導電装置（４２１１）が前記納骨箱構造（４１）  外側端面の前記ＬＥＤ接点スイッチ（４１３）に対応して接触することで接合して供電回路を形成し、前記回路板（４２２）の前記ＬＥＤ（４２２１）を発光させることで、光線を前記パネル部分（４２）の前記透明体（４２３）の内部に投射する。逆に、前記パネル部分（４２）が前記納骨箱構造（４１）の外側辺縁から開かれて、開いた状態になると、前記納骨箱構造（４１）外側端面の前記内部接点スイッチ（４１２）が起動して供電回路を形成し、前記納骨箱構造（４１）内部に設置された光源（３７）を発光させることで、光線を前記納骨箱構造（４１）の前記内部空間に投射して、骨壷を納めたり、取り出しやすくする。  
【００１５】
前記納骨壇システムの支え構造（Ａ１）は、位置固定管（Ａ２）、複数の支柱（Ａ３）、固定管（Ａ４）、複数の支え管（Ａ５）、複数の位置固定パーツ（Ａ６）、複数の固定部分（Ａ７）および複数の固定片（Ａ８）を備える。
【００１６】
前記位置固定管（Ａ２）の底部には複数の穴（Ａ９１）が設置され、前記穴（Ａ９１）の外側には固定パーツ（Ａ９２）が設置される。前記支柱（Ａ３）の最上部端面には穴（Ａ９１）が設置され、前記穴（Ａ９１）外側には固定パーツ（Ａ９２）が設置される。前記位置固定パーツ（Ａ６）の両端には、いずれもねじ部分（Ａ６１）が設置される。前記固定部分（Ａ７）の端面には位置固定バー（Ａ７１）が設置される。前記支柱（Ａ３）の一側および前記固定管（Ａ４）の一側には、いずれも複数の欠け口（Ａ９３）を有する。このうち、前記位置固定管（Ａ２）、前記固定管（Ａ４）および前記支え管（Ａ５）は方形のパイプを使用する。前記支柱（Ａ３）はＨ型の支柱（Ａ３）を使用する。前記固定パーツ（Ａ９２）はナットを使用する。前記固定部分（Ａ７）は十字型の固定部分（Ａ７）およびＴ型の固定部分（Ａ７）を使用する。前記固定片（Ａ８）はＬ型の固定片（Ａ８）を使用する。そして、前記位置固定管（Ａ２）、前記固定管（Ａ４）および前記支え管（Ａ５）は、Ｃ型パイプまたはＨ型パイプまたは円形パイプを使用する。前記支柱（Ａ３）は、方型の支柱またはＣ型の支柱または円形の支柱を使用することも可能である。  
【００１７】
前記支柱（Ａ３）は、前記位置固定パーツ（Ａ６）によって、前記位置固定管（Ａ２）底部に連結、設置される。このうち、前記位置固定パーツ（Ａ６）の一端の前記ねじ部分（Ａ６１）は、前記位置固定管（Ａ２）底部の前記穴（Ａ９１）に貫通して、前記位置固定管（Ａ２）の前記固定パーツ（Ａ９２）にねじ形式で設置される。前記位置固定パーツ（Ａ６）の他端の前記ねじ部分（Ａ６１）は、前記支柱（Ａ３）最上部端面の前記穴（Ａ９１）に貫通して、前記支柱（Ａ３）の前記固定パーツ（Ａ９２）にねじ形式で設置される。  
【００１８】
前記支柱（Ａ３）の他端は、それぞれ前記固定管  （Ａ４）側辺の前記欠け口（Ａ９３）に密着して設置される。前記支え管（Ａ５）は、前記支柱（Ａ３）の同様の高さの位置の前記欠け口（Ａ９３）に横向きに設置される。前記固定部分（Ａ７）は、前記支柱（Ａ３）の前記欠け口（Ａ９３）内に設置された前記支え管（Ａ５）の外側に蓋をするように対応して設置される。前記固定片（Ａ８）は、前記位置固定管（Ａ２）および前記支柱（Ａ３）最上部の周辺、前記支柱（Ａ３）の他端側辺と地面の両側および前記固定管（Ａ４）側辺と地面の両側に、それぞれ連結、固定される。そして、内部に骨壷を納める前記筺体（４）は、直接前記納骨壇システムの支え構造（Ａ１）内部に形成された収納空間に設置される。  
【００１９】
前記納骨壇システムの支え構造（Ａ１）は、前記位置固定パーツ（Ａ６）によって、前記位置固定管（Ａ２）底部および前記支柱（Ａ３）最上部端面に連結、設置されると同時に、前記位置固定パーツ（Ａ６）の前記ねじ部分（Ａ６１）と前記固定パーツ（Ａ９２）の相互の組合せによって調整して設置される。したがって、フロアの実際の高さに応じて、前記支柱（Ａ３）の設置高度を調整することが可能である。さらに、前記納骨壇システムの支え構造（Ａ１）は、実際のフロア高度に応じて設置して、天井と床の間に密着させて安定させるため、前記納骨壇システムの支え構造（Ａ１）は、建築物の構造を支える機能を強化する効果も有する。  
【００２０】
前記表示装置（３）は、それぞれ前記納骨壇システムの支え構造（Ａ１）の前記固定部分（Ａ７）の前記位置固定バー（Ａ７１）の間に設置される。前記表示装置（３）  の前記箱部分（３１）一端の前記斜面（３１１）は、他の前記表示装置（３）の前記箱部分（３１）一端の前記斜面（３１１）に抵触する。前記固定パーツ（５２）は、それぞれ前記位置固定バー（Ａ７１）の先端にねじ形式で固定されると同時に、前記表示装置（３）の端面を押さえて固定することにより、前記表示装置（３）を前記納骨壇システムの支え構造（Ａ１）にしっかりと固定する。このうち、前記固定パーツ（５２）は、頭部にねじ部分を有するものを使用する。そして、前記筺体（４）は、前記納骨壇システムの支え構造（Ａ１）の内部空間に設置される。
【００２１】
以上、本発明の実施例を、図面を参照して詳述してきたが、具体的な構成は、これらの実施例に限られるものではなく、本発明の要旨を逸脱しない範囲の設計変更などがあっても、本発明に含まれる。
【符号の説明】
【００２２】
（１）              納骨壇システム  
（３）              表示装置
（３１）            箱部分
（３１１）          斜面
（３１２）          仕切りパーツ
（３２）            鏡
（３３）            透明板
（３４）            茶色ガラス
（３５）            黒色ガラス
（３５１）          強化ガラス
（３６）              光ファイバー
（３７）              光源
（４）                筺体
（４１）              納骨箱構造
（４１１）            扉板
（４１２）            内部接点スイッチ
（４１３）            ＬＥＤ接点スイッチ
（４１４）            ヒンジ
（４２）              パネル部分
（４２１）            正面パネル
（４２１１）          導電装置
（４２１２）          接続軸
（４２２）            回路板
（４２２１）          ＬＥＤ
（４２３）            透明体
（４２４）            外枠
（４３）              ビス
（５２）              固定パーツ
（６）                骨壷
（Ａ１）              納骨壇システムの支え構造
（Ａ２）              位置固定管
（Ａ３）              支柱
（Ａ４）              固定管
（Ａ５）              支え管
（Ａ６）              位置固定パーツ
（Ａ６１）            ねじ部分
（Ａ７）              固定部分
（Ａ７１）            位置固定バー
（Ａ８）              固定片
（Ａ９１）            穴
（Ａ９２）            固定パーツ
（Ａ９３）            欠け口
【図１】
2011115576.tif 000003
【図２】
2011115576.tif 000004
【図３】
2011115576.tif 000005
【図４】
2011115576.tif 000006
【図５】
2011115576.tif 000007
【図６】
2011115576.tif 000008
【図７】
2011115576.tif 000009
【図８】
2011115576.tif 000010
【図９】
2011115576.tif 000011
【図１０】
2011115576.tif 000012
【図１１】
2011115576.tif 000013
【図１２】
2011115576.tif 000014
【図１３】
2011115576.tif 000015
【図１４】
2011115576.tif 000016
【図１５】
2011115576.tif 000017
【図１６】
2011115576.tif 000018
【図１７】
2011115576.tif 000019
【図１８】
2011115576.tif 000020
【図１９】
2011115576.tif 000021
【図２０】
2011115576.tif 000022
【図２１】
2011115576.tif 000023
【図２２】
2011115576.tif 000024
【図２３】
2011115576.tif 000025
【図２４】
2011115576.tif 000026
【図２５】
2011115576.tif 000027
【図２６】
2011115576.tif 000028
【図２７】
2011115576.tif 000029
【図２８】
2011115576.tif 000030
【図２９】
2011115576.tif 000031
【図３０】
2011115576.tif 000032
【図３１】
2011115576.tif 000033
【図３２】
2011115576.tif 000034
【図３３】
2011115576.tif 000035
【図３４】
2011115576.tif 000036